(57)【要約】【課題】  展示物に合わせて迅速容易に組み立て可能であると共に、携帯性や訴求性にも優れる展示用ユニットを提供する。【解決手段】  物品の展示に用いられる段ボール製の展示用ユニット１００であって、湾曲状の両面段ボールシート体を備える胴部材１１０と、胴部材１１０を起立状態に保持する保持部材１２０とを備え、胴部材１１０は、片面段ボールシートおよびライナを湾曲させて積層することにより構成されており、保持部材１２０は、胴部材１１０の端部と係合する係合部１２４を備える。【選択図】  図１
2014150815.tif 000002
【特許請求の範囲】
【請求項１】
物品の展示に用いられる段ボール製の展示用ユニットであって、
湾曲状の両面段ボールシート体を備える胴部材と、前記胴部材を起立状態に保持する保持部材とを備え、
前記胴部材は、片面段ボールシートおよびライナを湾曲させて積層することにより構成されており、
前記保持部材は、前記胴部材の端部と係合する係合部を備える段ボール製の展示用ユニット。
【請求項２】
前記胴部材は、平面視円弧状の前記両面段ボールシート体を、周方向または高さ方向の少なくとも一方に複数連結して構成されている請求項１に記載の段ボール製の展示用ユニット。
【請求項３】
前記両面段ボールシート体は、片面段ボールシートおよびライナを糊剤を介して積層した積層体を、湾曲形状を有する一対の電極間に挟持して、前記積層体の表裏面全体を一対の前記電極の湾曲形状に沿って密着させた後、一対の前記電極間に高周波電流を印加して前記糊剤を加熱し、前記片面段ボールシートおよびライナを接着することにより形成される請求項１または２に記載の段ボール製の展示用ユニット。
【発明の詳細な説明】
【技術分野】
【０００１】
本発明は、商品やポスター等の物品の展示に用いられる段ボール製の展示用ユニットに関する。
【背景技術】
【０００２】
段ボールシートは軽量且つ高強度という特徴を有することから、従来より種々の用途が検討されている。例えば、特許文献１には、図８に示すように、段ボールシートを筒状に折り曲げて形成される展示物載せ台５２と、展示物載せ台５２に固定される立設パネル５４とを備え、商品等の展示に使用される展示用ユニット５０が開示されている。展示物載せ台５２は、三角筒状に形成されており、一対の側板部５２ａ，５２ｂに広告表示等を行うことができると共に、背板部５２ｃに形成された折り線部５２ｄで折り畳んで収納することができる。
【先行技術文献】
【特許文献】
【０００３】
【特許文献１】特開２０１０−２４６７６４号公報
【発明の概要】
【発明が解決しようとする課題】
【０００４】
ところが、上記従来の展示ユニット５０は、展示物載せ台５２が三角筒状に形成されているため、一対の側板部５２ａ，５２ｂに表示された内容が、両者間の前端部５２ｅで分断されてしまい、消費者等に訴求効果を与えにくいという問題があった。また、展示スペースの拡張性に乏しく、展示物の大きさや個数、広告表示量等の増大に容易に対応できないという問題もあった。
【０００５】
そこで、本発明は、展示物に合わせて迅速容易に組み立て可能であると共に、携帯性や訴求性にも優れる展示用ユニットの提供を目的とする。
【課題を解決するための手段】
【０００６】
本発明の前記目的は、物品の展示に用いられる段ボール製の展示用ユニットであって、湾曲状の両面段ボールシート体を備える胴部材と、前記胴部材を起立状態に保持する保持部材とを備え、前記胴部材は、片面段ボールシートおよびライナを湾曲させて積層することにより構成されており、前記保持部材は、前記胴部材の端部と係合する係合部を備える段ボール製の展示用ユニットにより達成される。
【０００７】
この展示用ユニットにおいて、前記胴部材は、平面視円弧状の前記両面段ボールシート体を、周方向または高さ方向の少なくとも一方に複数連結して構成することができる。
【０００８】
また、前記両面段ボールシート体は、片面段ボールシートおよびライナを糊剤を介して積層した積層体を、湾曲形状を有する一対の電極間に挟持して、前記積層体の表裏面全体を一対の前記電極の湾曲形状に沿って密着させた後、一対の前記電極間に高周波電流を印加して前記糊剤を加熱し、前記片面段ボールシートおよびライナを接着することにより形成することができる。
【発明の効果】
【０００９】
本発明によれば、展示物に合わせて迅速容易に組み立て可能であると共に、携帯性や訴求性にも優れる展示用ユニットを提供することができる。
【図面の簡単な説明】
【００１０】
【図１】本発明の一実施形態に係る展示用ユニットの分解斜視図である。
【図２】図１に示す展示用ユニットの胴部材を製造する方法を説明するための概略正面図である。
【図３】図２に示す胴部材を製造する装置の正面図である。
【図４】図３に示す装置の要部側面図である。
【図５】図２に示す胴部材の変形例を示す正面図である。
【図６】図２に示す胴部材の他の変形例を示す正面図である。
【図７】図２に示す胴部材の更に他の変形例を示す要部分解斜視図である。
【図８】従来の展示ユニットの分解斜視図である。
【発明を実施するための形態】
【００１１】
以下、本発明の実施の形態について、添付図面を参照して説明する。図１は、本発明の一実施形態に係る展示用ユニットの分解斜視図である。図１に示すように、展示用ユニット１００は、平面視円弧状に形成された半円筒状の両面段ボールシート体からなる胴部材１１０と、胴部材１１０の上下両端部に取り付けられて胴部材１１０を起立状態に保持する保持部材１２０とを備えている。
【００１２】
保持部材１２０は、半円板状の基板１２２の片面に、基板１２２の外縁に沿うように枠状に形成された係合枠１２４が接着等により積層されて構成されている。係合枠１２４の内周面は、胴部材１１０の端部と係合する係合部１２４ａであり、胴部材１１０は、係合枠１２４に嵌合されることにより外周面が係合部１２４ａに密着して保持される。保持部材１２０を構成する基板１２２および係合枠１２４は、いずれも両面段ボール等の段ボールシートから構成することができ、胴部材１１０を起立状態で確実に保持できるように、複両面段ボールや複々両面ダンボール等を好ましく使用することができる。
【００１３】
保持部材１２０は、例えば、一方を床面に載置し、他方の上面に商品等の展示物を搭載する等して、使用することができる。但し、保持部材１２０は、胴部材１１０の一方端に取り付けられる単一のものであってもよく、この保持部材１２０を、床面載置用または展示物搭載用等として使用することができる。保持部材１２０が備える係合部１２４ａは、胴部材１１０を確実に保持可能であれば他の構成であってもよく、例えば、保持部材１２０の片面に形成した円弧状スリットの内面を係合部としてもよい。
【００１４】
胴部材１１０は、ポスター等の物品を貼着する等して、外表面を展示用スペースとして利用することができる。胴部材１１０を構成する両面段ボールシート体は、図２（ａ）に示すように、円弧状の下部電極１０の上面に、シート状のライナ１１２および片面段ボールシート１１４を糊剤（図示せず）を介して積層配置し、円弧状の上部電極２０を矢示のように降下させて挟持した後、下部電極１０と上部電極２０との間に高周波電流を印加することにより、図２（ｂ）に示すように、ライナ１１２および片面段ボールシート１１４からなる積層体を一体化して形成することができる。片面段ボールシート１１４は、波状の中芯１１４ａの一方面にシート状のライナ１１４ｂを貼合して形成されており、ライナ１１２と共に下部電極１０の凹面に沿って滑らかに湾曲させることができる。糊剤は、片面段ボールシート１１４の中芯１１４ａの山部に予め塗布されており、ライナ１１２と片面段ボールシート１１４とを積層した状態で、両者の間に介在する。
【００１５】
図３は、上記の下部電極１０と上部電極２０を備える胴部材１１０の製造用装置の正面図であり、図４は、図３の要部側面図である。図３に示すように、この製造装置１００は、下部電極１１０と、下部電極１１０の直上に配置された上部電極１２０とを備えており、これら一対の電極の間に段ボールシートを挟持することができる。
【００１６】
下部電極１０は、ベース２上に設置された電気絶縁材料からなる支持台４の上部に形成された半筒状の凹面に沿って配置されており、正面視円弧状に形成されている。下部電極１０は、給電板１２および導線１４を介して高周波電源３０に接続されており、高周波電流が供給される。
【００１７】
上部電極２０は、下部電極１０の内周面に嵌合可能となるように正面視円弧状に形成されており、昇降板２２の下面に取り付けられている。昇降板２２は、上部電極２０を昇降させる駆動源となるサーボモータ等の駆動モータ２３を搭載している。図４に要部側面図で示すように、駆動モータ２３は、タイミングベルトやべベルギヤ等の動力伝達機構２４を介して複数のピニオンギヤ２５に動力を伝達可能である。各ピニオンギヤ２５は、ベース２に立設された複数の支柱６に沿って固定されたラックギヤ２６に噛合しており、駆動モータ２３の正回転によって昇降板２２および上部電極２０が上昇し、駆動モータ２３の逆回転によって昇降板２２および上部電極２０が下降するように構成されている。上部電極２０を昇降させるための駆動手段は、特に限定されるものではなく、例えば、エアシリンダ駆動やリニアモータ駆動等であってもよい。上部電極２０は、アース接続されている。
【００１８】
下部電極１０および上部電極２０は、互いに嵌合可能に形成されており、図２（ａ）に示すように、挟持されたライナ１１２および片面段ボールシート１１４は、全面がそれぞれ下部電極１０および上部電極２０の湾曲形状に沿って密着する。そして、高周波電源３０から下部電極１０に高周波電流を印加すると、下部電極１０と上部電極２０との間に電界が生じることで糊が誘電加熱され、ライナ１１２と片面段ボールシート１１４との貼合が行われる。この後、上部電極２０を再び上昇させることにより、ライナ１１２と片面段ボールシート１１４とが湾曲状態で一体化された胴部材１１０を取り出すことができる。
【００１９】
このように、貼合前は変形が容易であるライナ１１２および片面段ボールシート１１４を、下部電極１０および上部電極２０の湾曲形状に沿って湾曲させた後、下部電極１０と上部電極２０との間に生じる高周波電界によってライナ１１２および片面段ボールシート１１４を貼合することにより、これらの積層体からなる胴部材１１０を製造することができるので、下部電極１０および上部電極２０の湾曲形状に対応した所望の湾曲形状を有する胴部材１１０を容易に製造することができる。また、ライナ１１２および片面段ボールシート１１４の全面が、それぞれ下部電極１０および上部電極２０に密着するので、貼合を均一且つ確実に行うことができ、得られた胴部材１１０の強度を確保することができる。
【００２０】
下部電極１０に対するライナ１１２および片面段ボールシート１１４の配置の順序は特に限定されず、いずれを先に配置することも可能である。但し、本実施形態のように、高周波電源３０に接続される陽極側の下部電極１０にライナ１１２が密着するように配置することが好ましく、これによって、ライナ１１２および片面段ボールシート１１４の接合箇所を、加熱し易い陽極側に近づけることができるので、糊剤の加熱による貼合をより確実に行うことができる。なお、本実施形態においては、下部電極１０を高周波電源３０に接続し、上部電極２０をアース接続しているが、上部電極２０を陽極側とすることも可能である。
【００２１】
下部電極１０および上部電極２０の形状は、互いに嵌合可能な湾曲状に形成されたものであればよく、例えば、図５に示すように、下部電極１０および上部電極２０をそれぞれ波型に形成して、ライナ１１２および片面段ボールシート１１４を挟持することにより、波状の胴部材１１０を製造することも可能である。このように、製造が容易な下部電極１０および上部電極２０の形状を変更するだけで、上記と同様の製造工程により種々の大きさや形状を有する胴部材１１０を製造することができる。保持部材１２０は、胴部材１１０の形状に合わせて係合部１２４ａを形成することで、胴部材１１０を保持可能である。
【００２２】
本実施形態の展示用ユニット１００によれば、保持部材１２０によって起立状態に保持される胴部材１１０が、湾曲状の両面ダンボールシート体から構成されるので、展示用ユニット１００の十分な強度を確保できると共に、従来の三角筒状の構成と比較して、胴部材１１０の表面における展示スペースの増大を図りつつ、胴部材１１０の全体にわたって連続した表示が可能になるので、展示物の訴求効果をより高めることができる。
【００２３】
また、本実施形態のように胴部材１１０を平面視円弧状の両面段ボールシート体から構成する場合には、この両面段ボールシート体を複数連結することで、展示スペースの増大を迅速容易に行うことができる。例えば、図６に示すように、平面視半円状に形成された２つの両面段ボールシート体１１１，１１１の周方向の端部同士を、Ｈ型ジョイナー等の連結具１１６，１１６で連結することで、円筒状の胴部材１１０を構成することができる。胴部材１１０は、径が大きい等の場合に更に分割してもよく、多数の円弧状の両面段ボールシート体１１１を周方向に連結して半円筒状、半楕円筒状、円筒状、楕円筒状などの胴部材１１０を構成するようにしてもよい。各両面段ボールシート体１１１は、分割時に積み重ねることが可能であるため、搬送時の携帯性に優れたものとすることができる。
【００２４】
また、図７に示すように、湾曲状の両面段ボールシート体１１１、１１１は、上記の周方向の連結に代えて、あるいは、上記の周方向の連結と共に、連結具１１８により、高さ方向に連結することも可能である。連結具１１８としては、図７に示すように、Ｈ字状の両端部１１８ａ，１１８ａを両面段ボールシート体１１１、１１１の中芯の隙間に挿入して連結するものを使用可能であるが、その構成は特に限定されるものではなく、例えば、両面段ボールシート体１１１、１１１の端部に保持部材をそれぞれ装着し、これらの保持部材に形成された貫通孔の位置合わせを行って連結具を挿入するようにしてもよい。両面段ボールシート体１１１の端部には、フック部材１１９を係止させることが可能であり、フック部材１１９から突出する支持部１１９ａにより展示物を吊り下げ支持することもできる。
【符号の説明】
【００２５】
１００  展示用ユニット
１１０  胴部材
１１１  両面ダンボールシート体
１１２  ライナ
１１４  片面段ボールシート
１２０  保持部材
１２４ａ  係合部
１０，２０  電極
【図１】
2014150815.tif 000003
【図２】
2014150815.tif 000004
【図３】
2014150815.tif 000005
【図４】
2014150815.tif 000006
【図５】
2014150815.tif 000007
【図６】
2014150815.tif 000008
【図７】
2014150815.tif 000009
【図８】
2014150815.tif 000010